(57)【要約】【課題】  ユーザの嗜好状態を的確に解析して効率的に放送番組を選択録画する放送録画装置を提供する。【解決手段】  センシング装置２０１はコンテンツ視聴者の視聴状態と、コンテンツ注目度を測定するために利用される。センシング装置２０１としては、たとえばカメラによってコンテンツ視聴者を撮影し、視線検出や表情検出、体の動き検出してコンテンツ注目度を数値化する方法、視聴状態を検出する方法が考えられる。ネットワーク接続部２０４は、汎用ネットワーク１０３上のサーバ１０１へコンテンツ注目度と算出時刻を送信するためやサーバ１０１から所定の統計値を受信するために利用される。    【選択図】  図２
2009232166.tif 000002
【特許請求の範囲】
【請求項１】
複数のシーンからなる放送コンテンツを受信記録可能な放送受信記録装置において、
放送コンテンツを記録する記録装置と、
コンテンツ視聴者のコンテンツ視聴状況をセンシングするセンシング手段と、
外部サーバとのデータ通信を行うネットワーク接続手段と、
センシング手段によりセンシングされた視聴状況に基づいてコンテンツ注目度データを生成し、算出時刻情報を付加して前記ネットワーク接続手段を介して外部サーバに送信する手段と、
前記サーバから前記コンテンツ注目度に関する所定の統計値データを受信する受信手段と、
前記コンテンツ注目度データと前記統計値データをキーとして前記キーの値が所定の閾値を超えたシーンとその前後の所定時刻分のシーンを前記記録装置に選択的に記録する記録手段とを具備したことを特徴とする放送受信記録装置。
【請求項２】
前記キーとコンテンツ視聴者の嗜好キーワードを統合したキーを用いて選択的にコンテンツを記録する手段を具備することを特徴とする請求項１記載の放送受信記録装置。
【請求項３】
前記放送コンテンツと時刻同期統合されて記録されている前記キーを用いて前記記録装置に記録された記録コンテンツをユーザに対して好適な手段で表示し、ユーザの指示によって任意の記録コンテンツを再生する手段を具備したことを特徴とする請求項２記載の放送受信記録装置。
【請求項４】
放送コンテンツを受信記録可能な複数の放送受信記録装置に対して情報配信可能な情報配信サーバにおいて、
ネットワーク接続手段と、
前記複数の放送受信記録装置が生成した注目度データおよび算出時刻情報を受信し、所定の統計解析を実施して統計値データを生成する手段と、
生成された統計値データを前記ネットワーク手段を介して前記放送受信記録装置に配信する配信手段とを具備する情報配信サーバ。
【発明の詳細な説明】
【技術分野】
【０００１】
本発明は放送番組を受信し記録する放送受信記録装置に関し特にユーザの嗜好に応じた放送番組を選択的に記録することが可能な放送録画装置に関するものである。
【背景技術】
【０００２】
近年、ハードディスクなどの大容量の記録メディアを用いて放送番組を録画する録画装置においては、多くの放送番組を録画し蓄積しておけることから、ユーザは、ＥＰＧなどの番組情報を利用し、特定のキーワード等で検索された放送番組を録画して、その後録画された放送番組のなかから好みの番組をみつけて視聴するような視聴形態が一般化してきている。ただし、ハードディスクの記録容量が増大してきたといっても、その容量には限りがあるために、できるだけ効率的にユーザの好みにあった放送番組を記録することを目的として多種多様な機能が提供されている。
【０００３】
例えば放送コンテンツに多重化されたコンテンツ付加情報を分離して、ユーザの嗜好情報を基にコンテンツの各シーンを所定のカテゴリらに分類し、分類カテゴリに基づいて各シーンを編集して録画する機能が開示されている。
【特許文献１】特開２００５−１４２９７５号公報 （図１）
【発明の開示】
【発明が解決しようとする課題】
【０００４】
しかし、従来のタイムシフト録画機能ではユーザにとって最適なシーンのみを提供することは難しく、録画時間の制約から過去に遡って再生することのできる時間は限られている。    
また複数チャンネルを同時録画する機能についても録画可能時間の制約がある。さら録画コンテンツの量が増大することにより、視聴者（ユーザ）が録画コンテンツを再生する際の好みの番組を選択再生する作業が繁雑となる。
【０００５】
そこで、本発明は上述した課題を解決するために、ユーザの嗜好状態を的確に解析して効率的に放送番組を選択録画する放送録画装置を提供することを目的としたものである。
【課題を解決するための手段】
【０００６】
本発明は上述したような課題を解決するためまた本発明は、複数のシーンからなる放送コンテンツを受信記録可能な放送受信記録装置において、放送コンテンツを記録する記録装置と、コンテンツ視聴者のコンテンツ視聴状況をセンシングするセンシング手段と、外部サーバとのデータ通信を行うネットワーク接続手段と、センシング手段によりセンシングされた視聴状況に基づいてコンテンツ注目度データを生成し、算出時刻情報を付加して前記ネットワーク接続手段を介して外部サーバに送信する手段と、前記サーバから前記コンテンツ注目度に関する所定の統計値データを受信する受信手段と、前記コンテンツ注目度データと前記統計値データをキーとして前記キーの値が所定の閾値を超えたシーンとその前後の所定時刻分のシーンを前記記録装置に選択的に記録する記録手段とを具備したものである。
【０００７】
また本発明は上述した課題を解決するため、前記キーとコンテンツ視聴者の嗜好キーワードを統合したキーを用いて選択的にコンテンツを記録する手段を具備したものである。
また本発明は上述した課題を解決するため、前記放送コンテンツと時刻同期統合されて記録されている前記キーを用いて前記記録装置に記録された記録コンテンツをユーザに対して好適な手段で表示し、ユーザの指示によって任意の記録コンテンツを再生する手段を具備したものである。
【０００８】
また本発明は上述した課題を解決するため、放送コンテンツを受信記録可能な複数の放送受信記録装置に対して情報配信可能な情報配信サーバにおいて、ネットワーク接続手段と、前記複数の放送受信記録装置が生成した注目度データおよび算出時刻情報を受信し、所定の統計解析を実施して統計値データを生成する手段と、生成された統計値データを前記ネットワーク手段を介して前記放送受信記録装置に配信する配信手段とを具備したものである。
【発明の効果】
【０００９】
本発明によればユーザの嗜好に応じたシーンのみを選択的に放送番組を録画することでき録画装置の記憶領域を効率的な利用することができる。
【発明を実施するための最良の形態】
【００１０】
以下、本発明における実施形態について説明していく。
【００１１】
まず本発明の実施形態が関係するシステムは、テレビジョン放送をリアルタイムにフィルタリングすることによって選択的に映像記録装置へ記録するテレビジョン放送受信記録装置ならびにテレビジョン放送記録再生システムに関するものである。テレビジョン放送とは、有線または無線等の伝送手段によって放送局から放送されているものを言い、ビデオオンデマンドといった蓄積型配信サービスを含まない。フィルタリングに用いるキーは３つのパラメータの重みをユーザが任意に指定することによって算出される。３つのパラメータとは、統計的に算出した第三者のコンテンツ注目度、ユーザがコンテンツを視聴しているのか否かのコンテンツ視聴状態、ユーザのコンテンツ嗜好キーワードである。コンテンツ注目度とは、テレビジョン放送受信記録装置のセンシング装置によってコンテンツ視聴者を測定することにより得られる数値を、サーバに集めて分析して所定の統計値を求めたものである。また、テレビジョン放送の選択的記録とは番組単位でユーザの嗜好に近いものを選んで記録するものではなく、リアルタイムにフィルタリングキーの値と閾値を比較して閾値を超えたシーンとその前後を記録するものである。
【００１２】
ところで、放送コンテンツを選択的に記録する理由としては２つある。１つ目の理由は、録画コンテンツ容量の肥大化を防ぐことである。テレビジョン放送のデジタル化や高音質・高画質化によって、アナログ放送と比較して時間当たりのデータ量が増えた。また、複数のチャンネルの同時に記録したいというニーズの高まりから、データ量は増える一方であるが、映像記録装置の容量には制限があり何かしらの制約を受けることとなってしまうため、データ量を少なくすることは重要である。２つ目の理由は、記録コンテンツの検索を速く行えるようにすることである。映像コンテンツの知的検索技術の発達によって記録したコンテンツを解析して視聴者にとって好適なシーンを提供できるようになってきたが、記録コンテンツのデータ量が肥大化するほど処理速度が低下してしまうことが問題でる。視聴者に好適なシーンのみをフィルタリングによって選択的に記録し、さらにその際のフィルタリングキーを時刻同期統合させて記録しておくことで、容易に目的のシーンを検索することができるようになる。
【００１３】
従来の視聴率を用いるのではなく統計的に算出した第三者のコンテンツ注目度を算出する理由としては、単にチャンネルが合わせられているというだけではなく、センシング装置によって視聴者の表情や視線を数値化して常に変化する視聴者のコンテンツへの関心をクチコミ情報のように反映させて選択的記録に利用するためである。同じ仕組みを持つ機器のユーザ同士がネットワークを通じてサーバに接続することでコミュニティが形成される。ユーザがコミュニティに参加して自分のリアルタイムコンテンツ注目度を提供することで、ユーザは他ユーザ（第三者）の統計的に算出したコンテンツ注目度を取得することができる。たとえば、同じ嗜好を持つ人や、同じ年代の人のコミュニティに参加すれば、よりユーザとって共感が持て、より好適である選択的コンテンツ記録を行うことができる。また近年、インターネット上の動画共有サイトでユーザが興味深い動画を投稿して他ユーザと共有する仕組みが広がりを見せており、キーワードや人気の高さから容易に検索することができる。本発明ではこれに近いものを、テレビジョン放送において、ローカルの映像記録装置にフィルタリングキーの値が閾値を超えたものを選択的に記録することで実現しようとするものでもある。
【００１４】
以下に、本発明の一実施例について図面を用いて詳細説明する。以下の記述は本発明に係る一例を示したに過ぎず、発明の趣旨から逸れない限り様々な実施形態が考えられる。テレビジョン放送受信記録装置とリアルタイムコンテンツ注目度統計配信サーバとそれらに付随する装置とで構成される典型的な例は図 １の通りである。汎用ネットワーク１０３に接続された、サーバ１０１と、複数のテレビジョン放送受信記録装置１０２とで構成される。テレビジョン放送受信記録装置１０２とは、テレビジョン放送を受信可能なチューナーと映像記録装置を備えた機器のことであり、たとえばレコーダー機能付きテレビ、レコーダー、パーソナルコンピュータなどが考えられる。それは主に図 ２のように構成され、少なくともセンシング装置２０１、制御部２０３、ネットワーク接続部２０４、テレビジョン放送受信装置２０５、コンテンツ記録装置２０６で構成される。このうち、センシング装置２０１はコンテンツ視聴者の視聴状態と、コンテンツ注目度を測定するために利用される。センシング装置２０１としては、たとえばカメラによってコンテンツ視聴者を撮影し、視線検出や表情検出、体の動き検出してコンテンツ注目度を数値化する方法、視聴状態を検出する方法が考えられる。ネットワーク接続部２０４は、汎用ネットワーク１０３上のサーバ１０１へコンテンツ注目度と算出時刻を送信するためや、サーバ１０１から所定の統計値を受信するために利用される。サーバ１０１は、図 ３のように構成され、少なくとも制御部３０１、ネットワーク接続部３０２、記憶装置３０３で構成される。このうち、ネットワーク接続部３０２は、汎用ネットワーク１０３上の複数のテレビジョン放送受信記録装置１０２からコンテンツ注目度と算出時刻を受信するためや、コンテンツ注目度に関する所定の統計値をテレビジョン放送受信記録装置１０２へ送信するために利用される。記憶装置３０３は、コンテンツ注目度に関する所定の統計値と算出時刻を蓄積しておくために利用される。テレビジョン放送受信装置２０５は複数存在してもよく、この場合、同時刻に放送されている複数のチャンネルに対して選択的に記録処理を行うことができる。
【００１５】
コンテンツ記録再生装置のコンテンツ注目度収集記録について図 ４のフローチャートを用いて説明する。まず、テレビジョン放送受信記録装置はテレビジョン放送を受信する（ステップＳ４０１）。センシング装置２０１が利用可能であり、かつ選択記録処理中のチャンネルが視聴中のチャンネルである場合（ステップＳ４０２のＹ）、センシング装置２０１はコンテンツ視聴者を測定してコンテンツ視聴状態の検出とコンテンツ注目度を算出して算出時刻とともにサーバへ送信する（ステップＳ４０３）。センシング装置が利用可能でない場合とは、たとえばユーザがセンシング装置を無効にしている場合などが考えられる。また、選択記録中のチャンネルが視聴中のチャンネルではない場合とは、選択記録中のチャンネルが裏番組である場合や、ユーザがテレビジョン受信記録装置１０２をコンテンツ記録のみに使用している場合が考えられる。サーバでは複数のテレビジョン放送受信記録装置１０２から送られてきたコンテンツ注目度を分析して所定の統計値を算出し、各テレビジョン放送受信記録装置１０２へ送信し、テレビジョン放送受信記録装置１０２はコンテンツ注目度に関する所定の統計値を受信する（ステップＳ４０４）。テレビジョン受信記録装置１０２とサーバ１０１とのコンテンツ注目度および第三者のコンテンツ注目度の統計値の通信は同期していなくてもよく、テレビジョン受信記録装置１０２は第三者のコンテンツ注目度の統計値の受信のみを行うこともできる。テレビジョン放送受信記録装置１０２はコンテンツ視聴状態とコンテンツ注目度に関する所定の統計値とコンテンツ嗜好キーワードからフィルタリングキーを算出し（ステップＳ４０５）、フィルタリングキーが閾値を超えた場合には（ステップＳ４０６のＹ）、放送コンテンツの閾値を超えたシーンとその前後のシーンをフィルタリングキーと時刻同期統合してコンテンツ記録装置へ記録する（ステップＳ４０７）。ここで、前後のシーンとは、任意時間分であってもよいが、リアルタイムに映像と音声を解析することによってコンテンツの意味的に区切りの良いシーンで区切る方法がより好ましい。コンテンツ嗜好キーワードとは、ユーザの嗜好するものの名前や種類を表すキーワードであり、視聴傾向などから自動推定する方法やユーザ自身が入力する方法が考えられる。フィルタリングキーの算出方法としては、３つのパラメータに任意の重み付けして算出する方法などが考えられ、たとえばフィルタリングキーの値が６０で、閾値が５０の場合、フィルタリングキーの値が閾値を超えるので選択記録する対象となる。（例：フィルタリングキーの値＝コンテンツ視聴状態×重み＋コンテンツ注目度に関する所定の統計値×重み＋コンテンツ嗜好キーワードとの一致度×重み）。
【００１６】
次に、コンテンツ記録装置に記録したコンテンツの再生手段について説明する。コンテンツ記録装置にはフィルタリングによって選択的に記録されたテレビジョン放送コンテンツが、フィルタリングキーとコンテンツが時刻同期統合された形で記録されている。ユーザは日付、コンテンツ注目度、キーワードなどから記録済みコンテンツを検索して任意のコンテンツを再生することができる。たとえば、図 ５や図 ６に示すようなインターフェイスが考えられる。図 ５では複数のチャンネルをフィルタリングによって選択的に記録したコンテンツを時系列で表示している。ユーザは任意のチャンネルの時刻を指定して再生することができる。図 ６は日付やコンテンツ注目度、またはキーワードなどによって検索した結果をサムネイル表示する例を示している。ユーザはサムネイルを参考に任意のシーンを指定して再生することができる。
【００１７】
以上説明したように本実施形態によれば、同時刻に放送されている複数のチャンネルの視聴者にとって最適なシーンのみを選択的に録画することができるので、映像記録再生装置の録画時間の制限を受けにくくなるとともに、ユーザにとってより最適なシーンをより多く録画することができるようになる。
【００１８】
また従来のコンテンツ検索技術では、蓄積されたコンテンツの音声や映像を解析することによって実現されており、コンテンツ記録後の処理に時間が必要であったが、本発明ではフィルタリングキーによって選択的記録を行う際にフィルタリングキーをコンテンツと時刻同期統合させて記録するため、コンテンツ記録後の検索するための後処理が不要になる。
【００１９】
また第三者のコンテンツ注目度に関する所定の統計値を利用することにより、同様の仕組みを持つ機器ユーザと興味深い放送シーンをリアルタイムに共有することができるようになり、テレビジョン放送の新しい楽しみ方が増やすことができる。
【００２０】
さらに従来は興味深いシーンのテレビジョン放送の一部が著作物であるにもかかわらず、動画共有サイト等にアップロードされて問題になることがあったが、第三者のコンテンツ注目度に関する所定の統計値を利用して放送コンテンツをユーザ自らの所有する機器に選択的にコンテンツを記録することができるようになったことで、合法的に注目度の高いシーンを検索し、楽しむことを容易にできるようになるものである。
【図面の簡単な説明】
【００２１】
【図１】本発明の一実施形態を示す記録再生システムのシステム概念図
【図２】同実施形態におけるテレビジョン放送受信記録装置の構成図
【図３】同実施形態における情報配信サーバの構成図
【図４】同実施形態におけるテレビジョン放送受信記録装置のコンテンツ注目度収集記録についての動作を説明するためのフローチャート
【図５】同実施形態におけるテレビジョン舗装受信記録装置での表示例
【図６】同実施形態におけるテレビジョン舗装受信記録装置での表示例
【符号の説明】
【００２２】
１０１…サーバ、１０３…汎用ネットワーク、２０１…センシング装置、２０２…映像表示装置、２０３…制御部、２０４…ネットワーク接続部、２０５…テレビジョン放送受信装置、２０６…コンテンツ記録装置。
【図１】
2009232166.tif 000003
【図２】
2009232166.tif 000004
【図３】
2009232166.tif 000005
【図４】
2009232166.tif 000006
【図５】
2009232166.tif 000007
【図６】
2009232166.tif 000008